(57)【要約】【課題】  冠形樹脂保持器の爪部の白化や破損を防止する。【解決手段】  冠形樹脂保持器は、環状の本体10の円周方向に、本体10の軸方向の一方に開口した複数のポケット12を配設してなり、各ポケット12が、本体10の円周方向で向かい合った一対の爪部14によって画成され、前記爪部14の部分球形状内壁面16のうち、本体10の内径側および外径側の縁部にぬすみ18を設けてある。【選択図】  図１
2007078055.tif 000002
【特許請求の範囲】
【請求項１】
環状の本体の円周方向に、本体の軸方向の一方に開口した複数のポケットを配設してなり、各ポケットが、本体の円周方向で向かい合った一対の爪部によって画成され、前記爪部の部分球形状内壁面のうち、本体の内径側および外径側の縁部にぬすみを設けた冠形樹脂保持器。
【請求項２】
ＰＰＳ樹脂製である請求項１の冠形樹脂保持器。
【請求項３】
ポケットの開口部の内径をＨｗ、転動体の直径をＤｗとしたとき、０．９６≦Ｈｗ／Ｄｗ≦０．９８とした請求項２の冠形樹脂保持器。
【請求項４】
円周方向に接続した複数の円弧状のセグメントによって構成された請求項１ないし３のいずれかの冠形樹脂保持器。
【請求項５】
請求項１ないし４のいずれかの冠形樹脂保持器を組み込んだ転がり軸受。
【請求項６】
ＣＴスキャナ装置用である請求項５の転がり軸受。
【発明の詳細な説明】
【技術分野】
【０００１】
この発明は冠形樹脂保持器および同保持器を組み込んだ転がり軸受に関する。
【背景技術】
【０００２】
図７に、医療機器の一種であるＣＴスキャナ装置の一例を示す。このＣＴスキャナ装置では、Ｘ線管装置７０で発生したＸ線を、その強度分布を一様ならしめるウェッジフィルタ７２、強度分布を制限するスリット７４を介して被写体７６に照射する。被写体７６を通過したＸ線は検出器７８で受けられ、電気信号に変換されて図示しないコンピュータに送られる。Ｘ線管装置７０、ウェッジフィルタ７２、スリット７４、検出器７８などの各部品は、軸受８０を介して固定架台８２に回転自在に支持された略円筒状の回転架台８４に取り付けられ、回転架台８４の回転に伴って被写体７６の周囲を回転する。そして、互いに対向するＸ線管装置７０と検出器７８が被写体７６まわりを回転することにより、被写体７６の検査断面内のあらゆる点ですべての角度をカバーする投影データを得、これらのデータから、あらかじめプログラムされた再構成プログラムにより断層画像を得るようになっている。
【０００３】
ＣＴスキャナ装置においては、固定架台８２の内周面を被写体７６が入る程度の概ね直径１ｍ程度の大径にするため、固定架台８２と回転架台８４との間の軸受８０には、直径に対して断面が著しく小さい、いわゆる超薄肉大形転がり軸受が使用される。この超薄肉大形転がり軸受８０は、図８（ａ）に示すように、外方部材８６と、内方部材８８と、外方部材８６と内方部材８８との間に介在する複数の転動体９０と、転動体９０を円周方向で所定間隔に保持するための保持器９２を具備する。
【０００４】
一般に、超薄肉大形転がり軸受に使用される保持器は、製造および組立上の理由から樹脂製のセグメントタイプが採用される。セグメントタイプの樹脂保持器は、図８（ｂ）に示すように、円弧状のセグメントｓを円周方向に連結して構成される。そして、１ポケットずつ軸方向に押し込んで転動体（玉）を組み込むことによって軸受に組み付ける。このような組立方法であるため、軸方向の、ポケットが開口した側から挿入できる冠形やくし形が基本形状となる（特許文献１、２）。一般に、冠形保持器とは、弾性変形によって、転動体と保持器とを組み合わせることができる形のつのをもった保持器と定義されている（非特許文献１）。
【０００５】
図４〜６に従来の冠形樹脂保持器を示す。冠形樹脂保持器は環状の本体２０を有し、その円周方向に複数のポケット２２が配設してある。各ポケット２２は本体２０の軸方向の一方に開口している。各ポケット２２は本体２０の円周方向で向かい合った一対の爪部２４によって画成される。爪部２４の部分球形状の内壁面２６を有し、図６に二点鎖線で示すように転動体を保持して脱落を防止している。この爪部が上記一般的定義におけるつのに相当する。
【０００６】
この保持器は樹脂材料を射出成形により製造され、ポケット２２の開口部の内径すなわち爪部間距離ＨＷとポケット２２の内径との差が離型時の締めしろとなる。また、ポケットの開口部の内径ＨＷと転動体直径の差が保持器挿入時（または転動体挿入時）の締めしろとなる。
【特許文献１】特開２００４−２１８７４５号公報
【特許文献２】特開２００４−１６２８７９号公報
【非特許文献１】社団法人日本ベアリング工業会編、「転がり軸受用語」、財団法人日本規格協会、１９９３年７月２０日、ｐ３１
【発明の開示】
【発明が解決しようとする課題】
【０００７】
爪部２４は本体２０の内径側および外径側の端縁まで延在し、図４（ｂ）に示すように爪部２４の先端が鋭利になっており、爪部２４全体が締めしろをもっている。このため、離型時の締めしろによって、爪部２４の根元に白化が起こる場合がある。また、保持器を転動体へ挿入する際の締めしろによって、爪部２４が破損するおそれがある。
【０００８】
この発明の主要な目的は、従来の冠形樹脂保持器における上記問題点を除去し、爪部の白化や破損を防止することにある。
【課題を解決するための手段】
【０００９】
この発明の冠形樹脂保持器は、環状の本体の円周方向に、本体の軸方向の一方に開口した複数のポケットを配設してなり、各ポケットが、本体の円周方向で向かい合った一対の爪部によって画成され、前記爪部の部分球形状内壁面のうち、本体の内径側および外径側の縁部にぬすみを設けたことを特徴とするものである。
【００１０】
請求項２の発明は、請求項１の冠形樹脂保持器において、ＰＰＳ樹脂製であることを特徴とするものである。
【００１１】
請求項３の発明は、請求項２の冠形樹脂保持器において、ポケットの開口部の内径をＨｗ、転動体の直径をＤｗとしたとき、０．９６≦Ｈｗ／Ｄｗ≦０．９８としたことを特徴とするものである。
【００１２】
請求項４の発明は、請求項１ないし３のいずれかの冠形樹脂保持器において、円周方向に接続した複数の円弧状のセグメントによって構成されたことを特徴とするものである。
【００１３】
請求項５の発明は、請求項１ないし４のいずれかの冠形樹脂保持器を組み込んだ転がり軸受である。
【００１４】
請求項６の発明は、請求項５の転がり軸受において、ＣＴスキャナ装置用であることを特徴とするものである。
【発明の効果】
【００１５】
この発明の冠形樹脂保持器は、環状の本体の円周方向に、本体の軸方向の一方に開口した複数のポケットを配設してなり、各ポケットが、本体の円周方向で向かい合った一対の爪部によって画成され、前記爪部の部分球形状内壁面のうち、本体の外径側の縁部にぬすみを設けたことにより、爪の幅が減少し、それに対応して離型時の締めしろ、ボール挿入時の締めしろが減少する。したがって、この発明によれば、爪の白化や破損といった不具合が発生するのを防止することができる。
【発明を実施するための最良の形態】
【００１６】
以下、図面に従ってこの発明の実施の形態を説明する。
【００１７】
図１（ａ）に示すように、冠形樹脂保持器は環状の本体１０を有し、その円周方向に複数のポケット１２が配設してある。各ポケット１２は本体１０の軸方向の一方に開口している。各ポケット１２は本体１０の円周方向で向かい合った一対の爪部１４によって画成される。爪部１４の部分球形状内壁面１６のうち、本体１０の内径側および外径側の縁部にぬすみ１８が設けてある。
【００１８】
冠形樹脂保持器を構成する樹脂材料の例としては、射出成形が可能な樹脂が望ましく、たとえばＰＰＳ（ポリフェニレンサルファイド）樹脂を挙げることができる。
【００１９】
図４（ｂ）に関連して上に述べたように従来構造では爪部の先端が鋭利となっており、爪部全体が締めしろをもっている。これに対し、ここでは爪部１４の縁部にぬすみ１８が設けてあるため、爪部１４の先端間の寸法（Ｐ１：図１（ａ））が従来（Ｐ２：図４（ａ））に比べて大きくなり、その結果、締めしろの緩和が実現する。
【００２０】
締めしろのめやすを例示するならば、たとえば上述のＰＰＳを採用した場合、転動体直径Ｄｗとポケット入り口ＨＷの比（ＨＷ／Ｄｗ）の値を０．９６〜０．９８とすることが挙げられる。この程度の締めしろを与えても、爪部１４の弾性変形により、離型の際の白化や転動体の挿入の際の損傷が防止できる。
【００２１】
上述の構成の冠形樹脂保持器は、図８（ｂ）に関連した上に述べたように円周方向に接続した複数の円弧状のセグメントによって構成されたいわゆるセグメントタイプ保持器に適用することもできる。
【００２２】
また、セグメントタイプ保持器はＣＴスキャナ装置用のような超薄肉大形転がり軸受で使用される場合が多い。ＣＴスキャナ装置は図７に、ＣＴスキャナ装置用転がり軸受は図８（ａ）に関連して説明したとおりである。
【００２３】
ここで、超薄肉大形転がり軸受とは、転動体（ボール）の直径ＤＢとピッチ円径ＰＣＤとの比の値φを０．０３以下（φ＝ＤＢ／ＰＣＤ≦０．０３）とした、主としてＰＣＤが５００ｍｍ〜１５００ｍｍ程度の大径軸受をいう。具体例を挙げるならば次のとおりである。
ＤＢ：１／２インチ（１２．７ｍｍ）
ＰＣＤ：１０４１．４ｍｍ
φ：０．０１２
【図面の簡単な説明】
【００２４】
【図１】（ａ）はこの発明の実施の形態を示す冠形樹脂保持器の正面図、（ｂ）は図１（ａ）の要部拡大図
【図２】図１のII−II断面図
【図３】図２のIII−III断面図
【図４】（ａ）は従来の技術を示す冠形樹脂保持器の正面図、（ｂ）は図４（ａ）の主要部拡大図
【図５】図４のＶ−Ｖ断面図
【図６】図４のＶI−ＶI断面図
【図７】ＣＴスキャナ装置の断面図
【図８】（ａ）はＣＴスキャナ装置用転がり軸受の断面図、（ｂ）はセグメントタイプ保持器の正面図
【符号の説明】
【００２５】
１０  本体
１２  ポケット
１４  爪部
１６  部分球形状内壁面
１８  ぬすみ
【図１】
2007078055.tif 000003
【図２】
2007078055.tif 000004
【図３】
2007078055.tif 000005
【図４】
2007078055.tif 000006
【図５】
2007078055.tif 000007
【図６】
2007078055.tif 000008
【図７】
2007078055.tif 000009
【図８】
2007078055.tif 000010